【事件の表示】
　昭和６３年特許願第５０７２７４号「狭い帯域幅のチャネルを通じて高精細度テレビジョンを伝送する方法」拒絶査定に対する審判事件［平成　１年　２月　９日国際公開、ＷＯ８９／０１２７０、平成　３年　３月１４日国内公表、特表平　３−５０１１９４］について、次のとおり審決する。
【結　論】
　本件審判の請求は、成り立たない。
【理　由】
　１　本件発明
　本願は、昭和６３年７月２７日（パリ条約による優先権主張外国庁受理１９８７年７月２７日、米国）を国際出願日とする出願であって、その発明は、補正された明細書及び図面の記載からみて、特許請求の範囲（請求項の数１３）に記載されているところ、その請求項１に記載された発明（以下「本件発明」という。）は、次に掲げるとおりのものである。
　【本件発明】
　空間的時間的特徴（ＳＴＳ）を有して信号の符号化を行い、前記ＳＴＳのパラメータ（空間、時間）は時間的な変化を有する、信号を符号化する方法
　
　また、本件発明の技術分野及び実施例は、本願明細書及び図面の記載からみて、次に掲げるとおりと認められる。
　【本件発明の技術分野】
　本発明は、高精細度テレビジョン信号を、低精細度テレビジョン信号用のチャネルを通じて、知覚可能な加工度を最少にして、伝送できるようにするために高精細度テレビジョン信号を符号化するという種類の方法に関するものである。（本願明細書１頁技術分野の項）
　ＨＤＴＶと標準のＮＴＳＣ放送テレビジョンの両立性については：本発明のいくつかの変形例が、符号化されている狭い帯域幅の映像を標準テレビジョンで直接表示し、完全に復号され、処理され、かつ再構成された（または「累積された」）映像を高精細度モニタで表示することにより、直接的な両立性が得られる。（同３５頁１０行ないし１５行）
　【本件発明の実施例】
　(１)第２５図を参照して、この図の上側は標準的な符号化／復号化帯域幅圧縮技術を示す。ソース映像と表示映像の帯域は等しく、チャネルの帯域幅より広い。
　下側は本発明の一実施例を示す。ソース映像の帯域幅は、互いに匹敵するチャネルと表示器の帯域幅より広い。見られる表示の後で復号が行われ、映像が再構成されるのはレチネックスにおいてだけである。（同１２頁１２行ないし１８行）
　(２)第２５図の下側は表示器の前には復号器は不要である。復号は人の眼／脳において行われる。したがって、それを既存の分配および受信／表示装置に使用できる。（同１３頁４行ないし７行）
　(３)第２７図は可変ＳＴＳスキームを実現する２つの主要な方法を示す。図中、上部に示したシステム図において、高精細度信号（２０）が本発明の可変ＳＴＳ符号器（２１）により符号化されて低精細度チャネル（２２）に伝送され、次いで低精細度あるいは高精細度のテレビジョンモニタ（２３）に直接表示される。
　また、図中下部に示したシステム図は、モニタ（２３）に表示する前に、上記符号化された信号を、実際に、モニタ（２３）内に組み込むことのできる可変ＳＴＳ復号器（２４）により復号するという点を除いて、上部に示した図と同一である。（同６１頁５行ないし１５行）
　(４)画素の２×２セルをＮ×Ｎに一般化できる。１×１セルは、ソース映像から標本化率を低くしない退化のケースである。２×２のケースは上で説明したものであって、帯域幅を４分の１に狭くし、４つの位相のサイクルを供給する。３×３のセルと、４×４のセルと、５×５のセルの場合には、各フレームに対してセル当り１個の画素が伝送されるものとすると、帯域幅の縮少はそれぞれ９分の１、１６分の１、２５分の１であり、繰返えしサイクルはそれぞれ９ステップ、１６ステップおよび２５ステップである。一般的な場合、すなわちＮ×Ｎ画素セルには、相当り１個の画素が標本化されるものとすると、帯域幅はＮの自乗分の１に狭くされ、繰返えしサイクルはＮの自乗のステップである。（同１９頁１行ないし１４行）
　(５)フレーム格納器が組込まれている比較的高い精細度の表示器で別の技術を実施できる。通常は、フレーム格納器は、モニタにより表示できる各画素のためにデータ格納を行う。しかし、変化するＳＴＳ技術を用いると、表示点のサブセットだけデータを伝送することにより帯域幅が圧縮される。（同２４頁１２行ないし１７行）
　(６)第４Ａ〜４Ｄ図に示されているスキームを例として用いることにする。各２×２−画素−セルに対して各フレームごとにただ１個のデータ点が送られ、ソース映像においてそれが占めている宛先位置に表示される。他の３つは繰返えされるデータから、または補間や再生により得られた中間データから得られる。（同２５頁１４行ないし２０行）
　
　２　刊行物に記載された事項
　これに対して、原審の拒絶理由に引用された、本願の出願の日前の昭和５４年４月２３日に頒布された特開昭５４−５１４１８号公報（以下「刊行物」という。）には、次に掲げる(１)ないし(８)の事項からなる解像度の高いテレビ画像を送信及び受信する方法が記載されている。
　【刊行物に記載された事項】
　(１)普通の解像度の現在のテレビ受像機や現在のチャンネル帯域幅と両立できる信号によって解像度の高いテレビ画像を送信及び受信する方法に係る。ここに開示する方法を用いれば、従来のテレビ受像機では、これまで通りの画質を受けることができ、改造したテレビ受像機により非常に高い解像度のテレビ画像を受けることができる。（４頁左上欄３行ないし１０行）
　(２)水平飛び越し走査の組と走査線の組との組合せは、画像の全てのサンプル点が各フレームごとに１度送信されるように選択される。そして、更に別のフレームを送信するようにこのプロセスが繰返される。第２ｆ図は画像の１フレームを送るためにサンプル点を送信する一つの時間シーケンスを示している。（８頁左上欄３行ないし１０行）
　(３)第２ｆ図に於いては、サンプル１，３，５及び７が従来のテレビ受像機で再合成され、交差する走査線の組３１と水平飛び越し走査の組４１及び４２とにより画定される領域の輝度を遂次に制御する。同様に、サンプル２，４，６及び８も、走査線の組３２と水平飛び越し走査の組４１及び４２とにより画定される領域の輝度を制御するように遂次に用いられる。従って、ここに述べたアナログビデオ信号ｆｋ(ｔ)で作動できるようにするのに、従来のテレビ受像機のために特別なアダプタ回路は必要にはならない。（１０頁左上欄５行ないし１６行）
　(４)２つの画像の必要とされる合成は、表示装置の燐光体の記憶作用により部分的に人間の目によって部分的に達成される。その結果、表示されているシーンの輝度は、暗から明に又はその逆に速やかに変化する。（８頁左下欄３行ないし１０行）
　(５)第１０図に示される様に、各フレームは、多数の水平飛び越し走査の組と多数の垂直走査線組とに分割されるが、それにより生じるサンプル点の半分しか１フレームごとに送信されない。送信されるサンプルは、第１０図に示された様な市松模様を形成する様に選択される。（１２頁左上欄下から３行ないし同頁右上欄４行）
　(６)第１０図の方法によって送信されないサンプル点の輝度は、人間の目によって部分的に補間され且つフレームを表示するのに用いられる技術によって部分的に補間される。（１２頁右上欄８行ないし１２行）
　(７)解像度の高いテレビ受像機は、サンプルを復元しそしてこれを用いて第１１図に示された様に画像を形成するが、従来のテレビ受像機ではサンプル点を走査線３１又は走査線３２に置き換えるということに注意されたい。（１２頁右下欄２行ないし６行）
　(８)解像度の高いテレビ画像を送信する本発明によって更に別の方法が第１２図に示されており、この場合には垂直走査線の組の数が奇数であり、そして垂直走査線の組と水平飛び越し走査線の組とにより形成されるサンプルが１フレームにつき半分しか送信されない。この場合にも、送信されるサンプルが市松模様を形成する。（１３頁左上欄１１行ないし１７行）
　
　３　本件発明の実施例と刊行物に記載された事項との対比・検討
　そこで、本件発明の技術分野及び実施例と刊行物に記載された事項とを対比・検討する。
　【技術分野】
　本件発明の技術分野と刊行物に記載された事項(１)とは、高精細度テレビジョン信号を、現在のチャンネル帯域幅と両立できる信号によって送信及び受信する方法に係り、従来のテレビ受像機では、これまで通りの画質を受けることができ、改造したテレビ受像機により非常に高い解像度のテレビ画像を受けることができるから、技術分野において共通している。
　【実施例】
　本件発明の実施例の事項(１)ないし(３)について、刊行物に記載された事項(３)には、サンプル１，３，５及び７が従来のテレビ受像機で再合成され、また、サンプル２，４，６及び８も同様に、画定される領域の輝度を制御するように遂次に用いられるから、従来のテレビ受像機のために特別なアダプタ回路は必要にはならないと記載され、また、刊行物に記載された事項(４)には、画像の必要とされる合成は、表示装置の燐光体の記憶作用により部分的に人間の目によって部分的に達成されると記載されている。
　したがって、刊行物に記載された事項(３)(４)は本件発明の実施例の事項(１)ないし(３)に相当する。
　本件発明の実施例の事項(４)ないし(６)について、刊行物に記載された事項(２)には、画像の全てのサンプル点が各フレームごとに１度送信されるように選択され、第２ｆ図は画像の１フレームを送るためにサンプル点を送信する一つの時間シーケンスを示していると記載され、また、刊行物に記載された事項(３)には、サンプル１，３，５及び７（４×４のセル）が従来のテレビ受像機で再合成され、また、サンプル２，４，６及び８（４×４のセル）も同様に、画定される領域の輝度を制御するように遂次に用いられると記載されている。
　したがって、刊行物に記載された事項(２)(３)は本件発明の実施例の事項(４)ないし(６)に相当する。
（なお、刊行物に示される第２ｆ図は、画像の１フレームを送るためにサンプル点を空間的に順次異ならせて送信する一つの時間シーケンスを示し、本願図面第４Ａ〜４Ｄ図は、画像の１フレームを送るために１サンプル点を空間的に同じもの（１サンプル点を代表して４つのサンプル点とするもの）として順次送信する一つの時間シーケンスを示す点で、実施例においては相違するが、本願図面第４Ａ〜４Ｄ図に示されるように高精細度テレビジョン信号を伝送すると、刊行物に示される第２ｆ図に示されるようにテレビジョン信号を間引いていないので、すなわち、帯域を狭くしていないので、低精細度テレビジョン信号用のチャネル（現在のチャンネル帯域幅）を通じて、高精細度テレビジョン信号を伝送できるのか疑問であるが、１つのサンプル点のデータのみを伝送する代わりに、１つのサンプル点のデータを他の３つのサンプル点のデータとして４つのサンプル点のデータを伝送することは、必要に応じて、適宜なし得ることである。）
　
　４　刊行物発明
　以上の対比・検討から、刊行物には上記本件発明と同じ発明が記載されていると認められる。すなわち、本件発明は、上記本件発明の実施例を含むが、また、上記刊行物に記載された事項をも含むものでもある。
（なお、刊行物に記載された事項(５)ないし(８)は、本願図面第５Ａ図、第７図、第１３図及び第１４図に対応するものとして示した。）
　
　５　むすび
　以上のとおり、本件発明は、刊行物に記載された発明であり、その実施例についても、当業者が容易に発明をすることができたものと認められるから、特許法２９条１項３号に該当ないしは同法２９条２項の規定により特許を受けることができない。
　したがって、他の請求項２ないし１３を論及するまでもなく、本願は拒絶すべきものである。
　よって、結論のとおり審決する。